(57)【特許請求の範囲】
【請求項１】
魚釣り等に用いられる収納容器の容器本体に取り付けられる蓋体であって、
２つの角部を含む縁部を備える蓋本体と、
前記蓋本体表面に形成され他の物品を配置収納可能な凹入部と、
前記角部間に設けられ、前記容器本体に前記蓋体本体を開閉自在に連結する蝶番と、
前記凹入部から前記角部へ連続して形成され、蓋本体の外部へ至る溝部と、
を備えた収納容器の蓋体。
【請求項２】
前記凹入部は円形であり缶ジュース等を配置収納可能なドリンクホルダーである、請求項１に記載の蓋体。
【請求項３】
前記蓋本体は熱可塑性樹脂からなり、
前記蓋本体の周縁が略直角に折り曲げられて前記蓋本体と一体的に形成されたカバー部をさらに備えた、請求項１又は２に記載の蓋体。
【請求項４】
前記カバー部の深さは、前記蝶番の設けられた側ほど深くなるように傾斜して形成されている
請求項３に記載の蓋体。
【請求項５】
前記蓋本体及びカバー部は、ポリプロピレン，ポリエチレン，ABS樹脂からなる群より選択される熱可塑性樹脂からなる合成樹脂板を熱圧加工することにより形成される、請求項３又は４に記載の蓋体。
【発明の詳細な説明】
【０００１】
【発明の属する技術分野】
本発明は、魚釣り等に用いる収納容器の蓋体に関する。
【０００２】
【従来の技術】
従来の収納容器は、内部に断熱材を有し外表面が硬質のプラスチックで形成された箱形の容器本体と、容器本体に取り付けられた蓋体とを有している。この蓋体は、EVA等からなる層とその両面を覆う一対の不織布またはレザーシート層とを有する構造になっている。
【０００３】
この種の収納容器は、ドライブや釣りなどのレジャーに用いられ、容器本体内に保冷したいジュースや魚が保冷剤と共に収納される。
【０００４】
【発明が解決しようとする課題】
釣りを行う場合には、釣竿以外にも、例えば、擬餌，生き餌，錘，針など様々な道具が必要である。しかもこれらは比較的小さいものが多く、整理された状態で収納配置する必要がある。特に、岩場等において釣りを行う場合、これらの小さな釣具を紛失することなく収納しておける適当な収納場所が必要である。一方で、ポケット内などに小さな釣具を収納してしまうと、必要なときに小さな釣具を直ちに取り出して用いることができない。
【０００５】
また、長時間にわたって釣りを行う場合、缶ジュースや缶ビールを手に釣りを行うことも多いが、釣り場においては飲みかけのジュース等を配置しておく場所にも事欠く場合がある。
【０００６】
本発明の課題は、釣具，缶ジュース等を容易に配置収納可能な収納容器蓋体を提供することにある。
【０００７】
【課題を解決するための手段】
発明１にかかる収納容器蓋体は、魚釣り等に用いられる収納容器の容器本体に取り付けられる蓋体であって、蓋本体と、蓋本体表面に形成され他の物品を配置収納可能な凹入部とを備えている。また、蓋本体は、２つの角部を含む縁部を備える。蓋体は、角部間に設けられ、前記容器本体を蓋体本体に開閉自在に連結する蝶番と、前記凹入部と前記角部とを連通する溝部と、をさらに備える。
【０００８】
この収納容器の蓋体では、表面に凹入部が形成されており、この凹入部内に、例えば、釣針や錘，釣糸等を直接配置収納し、または釣針ケースや錘ケース等を収納する。釣りの際に携帯する収納容器蓋体にこれらの比較的小さな釣具を収納できるので、小さな釣り用具を紛失することなく収納できる。また、必要な際にすぐに取り出して用いることができる。
【０００９】
なお、凹入部に合致する形状を有する釣針ケースや錘ケース等の収納容器を準備し、これを凹入部に脱着自在にはめ込み可能にしてもよい。
【００１０】
発明２にかかる蓋体は、発明１の収納容器蓋体であって、凹入部は円形であり缶ジュース等を配置収納可能なドリンクホルダーである。
【００１１】
この場合には、飲みかけの缶ジュース等を安定した状態で収納しておける。
【００１２】
発明３にかかる蓋体は、発明１または２の収納容器蓋体であって、凹入部と蓋本体縁部とを連通する溝部をさらに備えている。
【００１３】
この場合には、水のかかりやすい場所収納容器を用いても、凹入部には溝部が形成されており、凹入部に溜まった水が容易に排水される。
【００１４】
発明４にかかる蓋体は、発明１〜３のいずれかの収納容器蓋体であって、蓋本体は熱可塑性樹脂からなり、蓋本体の周縁が略直角に折り曲げられて蓋本体と一体的に形成されたカバー部をさらに備えている。
【００１５】
この場合には、カバー部が収納容器の容器本体上辺部を覆い保護する。ここで、蓋本体とカバー部とが一体的に熱可塑性樹脂から形成されており、接着，縫合部分等が存在せず、水等が蓋体内部に侵入することもなくまた外観にも優れる。さらに、蓋本体とカバー部とは、例えば射出成形等によって一体的に製造でき、製造過程の煩雑さを回避できる。
【００１６】
発明５にかかる蓋体は、発明４の収納容器蓋体であって、蓋本体及びカバー部は、ポリプロピレン，ポリエチレン，ABS樹脂からなる群より選択される熱可塑性樹脂からなる合成樹脂板を熱圧加工することにより形成される。
【００１７】
この場合には、所定の熱可塑性樹脂からなる矩形板材を加工して蓋本体及びカバー部が一体的に形成される。このため、水等の蓋体内部への侵入を防止でき、外観にも優れる。また、板状を熱圧加工しており簡易な製造工程により容易に製造できる。
【００１８】
【発明の実施の形態】
［第１実施形態］
以下、本発明の第１実施形態について図面を参照しつつ説明する。
【００１９】
本発明の第１実施形態を採用した収納容器は、図１〜４に示すように、箱形の  容器本体１と、容器本体１の開口を覆うように配置される内蓋２と、蝶番１０によって開閉可能なように容器本体１の上部設けられ内蓋２（図４参照）を内包する蓋体３と、蓋体３を容器本体１に固定する固定部４と、容器本体１に取り付けられ収納容器の運搬時に把持するバンド５とを有している。
【００２０】
容器本体１は、図４に詳しく示すように、ポリエチレン等の一対の合成樹脂材１１の間にポリウレタン等の発泡樹脂材１２が挟み込まれて形成されている。この発泡樹脂材１２が容器本体１の断熱性を向上させている。また、合成樹脂材１１は外観を布状に似せると共に滑り止め効果を図ってエンボス加工が施されている。容器本体１の上端縁部１ａには内蓋２を係止可能なファスナーレール１３が背面側を除いて形成されている。また、図１及び図２に示すように、容器本体１の正面１ａには釣りに用いる小物等を収納可能なポケット部１４が設けられている。ポケット部１４の上縁のファスナ１４ａを開閉することによってポケット部１４内に小物を収納可能である。容器本体１の側面底部側にはシート材１５がポケット部１４も覆うように縫合または接着されている。このシート材１５は不織布等の布状部材やPVC等から成る。
【００２１】
また、容器本体１の両側面１ｂの中央付近にはそれぞれレザー製のハンドル１６が連結されている。ハンドル１６はナイロン繊維等からなる帯状部材であって、容器本体側面１ｂの底部側部分と高さ方向中央付近との２カ所で容器本体１に縫合されており、この縫合部分間においてユーザがハンドル１６を把持可能になっている。また、図２に詳しく示すように、縫合部分間においてその幅は他の部分より小さくなっておりユーザが容易にこの部分を把持できるように工夫されている。このハンドル１６は、車内に収納容器を配置した際などにおいて側面方向より収納容器を引っぱり出す際に用いられる。さらに、ハンドル１６の上端にはフック１６ａが連結されており、肩掛けベルト（図示せず）が脱着自在に連結される。
【００２２】
内蓋２は、図４に示すように、容器本体１と同様に一対の防水性シート２１の間にポリスチレン等の合成樹脂板２２が挟み込まれて形成されている。容器本体１の背面側において縫合等によって固定されており、容器本体１上面開口を開閉自在に覆っている。容器本体１に縫合された部分以外の周縁部にはファスナー２３が配置されており、容器本体１のファスナーレール１３と噛合する。
【００２３】
蓋体３は、図５に示すように、ポリプロピレン，ポリエチレン，ABS樹脂等の熱可塑性樹脂から形成される板状部材である。そして、矩形板状の蓋本体３１と蓋本体３１の周縁が略直角に折り曲げられて蓋本体３１と一体的に形成されたカバー部３２とを有している。後に詳しく説明するように、蓋本体３１とカバー部とは１つの熱可塑性樹脂板から加工されている。この蓋体３は、図３に示すように、蝶番１０によって容器本体１の背面側において開閉自在に連結されており、倒伏時において容器本体１の上端周縁をカバー部３２が覆うように容器本体１上面に配置されている。そして、倒伏時において容器本体１の正面１ａ上端側に配置される固定部４によって固定される。なお、図２に示すように、カバー部３２の深さは容器本体１の正面側ほど浅く背面側ほど順次深くなるように傾斜して形成されている。
【００２４】
また、蓋体３の蓋本体３１上には長辺方向に伸びる凸状部３１ａが形成されている。凸状部３１ａは、蓋本体３１の内面側において外面側に凹入し外面側において凸出している。さらに、蓋本体３１の角部付近には円形に凹入したドリンクホルダー３３が形成されている。図６に詳しく示すように、ドリンクホルダー３３は、缶ジュース等を配置可能な経を有し蓋本体３１の表面より窪んで円形に形成されるドリンク台３３ａと、ドリンク台３３ａよりさらにもう一段窪んで形成された排水部３３ｂとを有している。排水部３３ｂは蓋本体３１の角部へ連続して面一に形成され蓋本体３１の外部へ至る排水路３３ｃが併設されており、ドリンクホルダー３３内に溜まった水は排水部３３ｂ及び排水路３３ｃによって外部に排出される。
【００２５】
この蓋体３は、以下のようにして製造される。
【００２６】
まず、図７（ａ）に示すように、所定の熱可塑性樹脂からなる板状部材を用意する。そして、蓋本体３１の凸状部３１ａやカバー部３２，ドリンクホルダー３３等が型取られた型によって熱圧加工を施す。この熱圧加工によって熱可塑性樹脂板は成型され、図７（ｂ）に示すように、蓋本体３１とカバー部３２とが一体的に成型された蓋体３が製造される。なお、必要に応じて、図７（ｃ）に示すように、成型した蓋体３にレザーシートや不織布，織物布またはこれらにPVCをコーティングした布材を貼り付けてもよい。布材を貼り付けるのは表面のみでも表裏両面に貼り付けてもよい。
【００２７】
このように構成された収納容器では、釣りを行う際に釣場に携帯され、釣人の横に配置される。そして、釣人は釣りをしながら飲む缶ジュースや缶ビールを、ドリンクホルダー３３に配置収納する。ドリンクホルダー３３には排水部３３ｂ及び排水路３３ｃが設けられており、水がかかりまた雨等が溜まった場合にその水を容易に排水できる。また、蓋体３のカバー部３２が容器本体１の上辺部分を覆っており、容器本体１内に水やゴミ等が侵入するのを防止すると共に容器本体１を保護している。ここで、蓋体３は熱可塑性樹脂板を熱圧加工して蓋本体３１及びカバー部３２が一体的に形成されている。このため、水等が蓋体３自身の内部に侵入することもなく、また、蓋本体３１とカバー部３２との縫合面や連結部分がないため外観にも優れる。
【００２８】
［参考形態］
以下、参考形態について、図面を参照しつつ説明する。
【００２９】
参考形態を採用した収納容器の蓋体４０は、図８に示すように、矩形板状の蓋本体４０ａと蓋本体４０ａの周縁が略直角に折り曲げられて蓋本体４０ａと一体的に形成されたカバー部４０ｂとを有している。この蓋体４０は、第１実施形態と同様に、熱可塑性合成樹脂板材を所定の形状の型内において熱圧加工して形成される。
【００３０】
蓋体４０の蓋本体４０ａ上には矩形に凹入した凹入部４１，４２，４３が形成されている。凹入部４１，４３は蓋体４０の長辺方向において対象にそれぞれ同様な形状をしており、これら凹入部４１，４３には蓋本体４０ａの縁部へ連続して形成され蓋本体４０ａの外部へ至る排水路４１ａ、４３ａが併設されている。そして、凹入部４１，４３内に溜まった水は排水路４１ａ，４３ａによって外部に排出される。また、凹入部４１，４３は、それぞれ例えば釣餌ケースＰの形状に合致するように形成されており、釣餌ケースPを脱着自在にはめ込んで固定できる。一方、凹入部４２は凹入部４１，４３の間に他の凹入部４１，４３に比べて小さく形成されている。
【００３１】
このように構成された収納容器は、蓋体の表面に凹入部４１，４２，４３が形成されており、この凹入部４２内に、例えば、釣針や錘，釣糸等を直接配置収納し、凹入部４１，４３には釣餌ケースＰ等を脱着させて収納する。比較的小さな釣り用具を容易に収納できるので、小さな釣り用具を紛失することなく収納できる。
【００３２】
【発明の効果】
本発明にかかる収納容器蓋体によれば、釣り用具，缶ジュース等を容易に配置収納できる。
【図面の簡単な説明】
【図１】  本発明の第１実施形態を採用した収納容器の正面図。
【図２】  本発明の第１実施形態を採用した収納容器の側面図。
【図３】  本発明の第１実施形態を採用した収納容器の上面図。
【図４】  本発明の第１実施形態を採用した収納容器の部分断面図。
【図５】  本発明の第１実施形態を採用した収納容器の蓋部の断面図。
【図６】  図５の蓋部の角部付近の拡大図。
【図７】  図５の蓋部の製造工程を示した図。
【図８】  本発明の第２実施形態を採用した収納容器の蓋部を示した図。
【符号の説明】
１  容器本体
２  内蓋
３，４０  蓋部
４  固定部
５  バンド
３１  蓋本体
３１ａ  凸状部
３２  カバー部
３３  ドリンクホルダー
４１，４２，４３  凹入部
Ｐ  釣餌ケース
【図１】
0004362169.tif 000002
【図２】
0004362169.tif 000003
【図３】
0004362169.tif 000004
【図４】
0004362169.tif 000005
【図５】
0004362169.tif 000006
【図６】
0004362169.tif 000007
【図７】
0004362169.tif 000008
【図８】
0004362169.tif 000009